【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
グループを構築するための方法であって、
サーバにおいて、モバイルデバイスの位置を決定することと、
前記サーバにおいて、前記モバイルデバイスの前記決定された位置に基づいて、前記モバイルデバイスがペアリングゾーンに位置付けられているかどうかを決定することと、
前記モバイルデバイスが前記ペアリングゾーンに位置付けられていると決定すると、前記サーバによって維持される前記グループに前記モバイルデバイスを追加することと、
を備え、
前記サーバにおいて、前記モバイルデバイスの位置を決定することが、
前記サーバにおいて、前記モバイルデバイスから受信されたネットワーク管理信号に基づいて、前記モバイルデバイスが時間において利用可能である１つまたは複数のＷｉＦｉアクセスポイントを決定することと、ここにおいて、前記ネットワーク管理信号は、前記モバイルデバイスと前記１つまたは複数のＷｉＦｉアクセスポイントとの間にワイヤレス通信リンクを確立する、
前記サーバにおいて、前記モバイルデバイスの位置を決定するために、前記決定された１つまたは複数のＷｉＦｉアクセスポイントに関するカバレッジマップを比較することと、
を備えることを特徴とする、方法。
【請求項２】
前記決定された１つまたは複数のＷｉＦｉアクセスポイントは、少なくとも３つのＷｉＦｉアクセスポイントを備え、
前記サーバにおいて、前記モバイルデバイスの位置を決定するために、前記決定された１つまたは複数のＷｉＦｉアクセスポイントに関するカバレッジマップを比較することは、前記サーバにおいて、前記モバイルデバイスの位置を決定するために、前記決定された少なくとも３つのＷｉＦｉアクセスポイントの前記カバレッジマップに少なくとも部分的に基づいて、三辺測量を行うことを備える、
請求項１に記載の方法。
【請求項３】
前記サーバにおいて、前記モバイルデバイスの位置を決定することは、
前記決定された１つまたは複数のＷｉＦｉアクセスポイントと、前記モバイルデバイスとの間の接続の特性を、前記時間に決定することと、
前記サーバにおいて、前記モバイルデバイスの位置を決定するために、前記決定された１つまたは複数のＷｉＦｉアクセスポイント間の接続の前記決定された特性を比較することと、
をさらに備え、
接続の前記特性は、サービス品質、信号強度、および誤り率のうちの１つまたは複数である、請求項１に記載の方法。
【請求項４】
前記サーバにおいて、前記モバイルデバイスの位置を決定することは、
測定された信号特性に基づいて、３つ以上のＷｉＦｉアクセスポイントの各々と、前記モバイルデバイスとの間の分離距離を推定することと、
三辺測量アルゴリズムを使用する前記３つ以上のＷｉＦｉアクセスポイントの既知の位置および前記推定された分離距離を使用することで、前記モバイルデバイスの前記位置を推定することと、
をさらに備え、
前記信号特性は、サービス品質、信号強度、および誤り率のうちの１つまたは複数である、請求項１に記載の方法。
【請求項５】
前記サーバにおいて、トリガが生じたかどうかを決定すること、をさらに備え、
前記モバイルデバイスが前記ペアリングゾーンに位置付けられていると決定すると、前記サーバによって維持される前記グループに前記モバイルデバイスを追加することは、前記モバイルデバイスが前記ペアリングゾーンに位置付けられており、前記トリガが生じたと決定すると、前記サーバによって維持される前記グループに前記モバイルデバイスを追加することを備え、
前記トリガは、時間期間の満了またはモバイルデバイスコンテクストである、
請求項１に記載の方法。
【請求項６】
前記サーバにおいて、ユーザ情報と前記モバイルデバイスを相関させることと、
前記サーバにおいて、前記グループに前記モバイルデバイスを追加すると、前記モバイルデバイスと、前記グループのメンバである任意の他のモバイルデバイスとの間のグループ通信を可能にすることと、
をさらに備える、請求項１に記載の方法。
【請求項７】
すべてのグループメンバのモバイルデバイスの位置を追跡することと、
前記サーバにおいて、前記モバイルデバイスがトリガ位置に入り、トリガイベントが生じるかどうかを決定することと、
前記モバイルデバイスが前記トリガ位置に入り、前記トリガイベントが生じると、前記モバイルデバイスに報酬を送ることと、
をさらに備え、
前記報酬は、クーポン、割引、アプリケーション、引換券、および広告、のうちの１つまたは複数である、請求項１に記載の方法。
【請求項８】
グループ位置ベースのチャレンジを開始することと、
すべてのグループメンバのモバイルデバイスに、グループ位置チャレンジ指示を送ることと、
前記サーバにおいて、すべてのグループメンバのモバイルデバイスの位置を追跡することと、
前記サーバにおいて、グループ位置チャレンジが完了されたかどうかを決定することと、
前記グループ位置チャレンジの完了の際に、すべてのグループメンバのモバイルデバイスに報酬を送ることと、
をさらに備え、
前記報酬は、クーポン、割引、アプリケーション、引換券、および広告、のうちの１つまたは複数である、請求項１に記載の方法。
【請求項９】
前記サーバにおいて、グループ位置要求を受信することと、
すべてのグループメンバのモバイルデバイスの現在位置を決定することと、
すべてのグループメンバのモバイルデバイスの決定された現在位置のグループ位置指示を生成することと、
をさらに備え、
前記グループ位置指示は、すべてのグループメンバのモバイルデバイスの前記決定された現在位置を例示しているマップである、請求項１に記載の方法。
【請求項１０】
前記サーバにおいて、前記グループのメンバであるすべてのモバイルデバイスのユーザ情報を相関させることをさらに備える、請求項１に記載の方法。
【請求項１１】
前記方法の動作の少なくとも一部は、イベント後データ分析として行われる、請求項１に記載の方法。
【請求項１２】
前記ネットワーク管理信号は、アクセスポイントプローブ要求である、請求項２に記載の方法。
【請求項１３】
前記サーバにおいて、位置履歴情報のデータベースを生成するために、すべてのグループメンバのモバイルデバイスの位置を追跡することと、
前記グループに基づいて、位置履歴情報の前記データベースに対して分析を行うことと、
をさらに備える、請求項１に記載の方法。
【請求項１４】
サーバにおいて、モバイルデバイスの位置を決定するための手段と、
前記サーバにおいて、前記モバイルデバイスの前記決定された位置に基づいて、前記モバイルデバイスがペアリングゾーンに位置付けられているかどうかを決定するための手段と、
前記モバイルデバイスが前記ペアリングゾーンに位置付けられていると決定すると、前記サーバによって維持されるグループに前記モバイルデバイスを追加するための手段と、
を備え、
前記サーバにおいて、前記モバイルデバイスの位置を決定するための手段が、
前記サーバにおいて、前記モバイルデバイスから受信されたネットワーク管理信号に基づいて、前記モバイルデバイスが時間において利用可能である１つまたは複数のＷｉＦｉアクセスポイントを決定するための手段と、ここにおいて、前記ネットワーク管理信号は、前記モバイルデバイスと前記１つまたは複数のＷｉＦｉアクセスポイントとの間にワイヤレス通信リンクを確立する、
前記サーバにおいて、前記モバイルデバイスの位置を決定するために、前記決定された１つまたは複数のＷｉＦｉアクセスポイントに関するカバレッジマップを比較するための手段と、
を備えることを特徴とする、サーバ。
【請求項１５】
サーバに請求項１に記載の方法を実行させるように構成されたサーバ実行可能な命令を記憶した非一時的なサーバ可読媒体。